(57)【要約】【課題】  外部コントローラの出力カウント指示に依らない正確で公正な出力カウントを可能とする。【解決手段】  画像形成毎に出力カウントを行う際に、Ｓ１００３で、課金属性が白黒かカラーかの判断を行う。白黒と判断された場合は、Ｓ１００４において、出力される画像データから求められたカラービデオカウント量（Ｖ）２００４とあらかじめ設定された閾値（Ｎ）とを比較する。このとき、カラービデオカウント量（Ｖ）が閾値（Ｎ）よりも大きい場合は、Ｓ１００７にて画像形成を停止するか否かの判断を行う。一方、Ｓ１００３で、カラーと判断された場合は、Ｓ１００６において、出力される画像データから求められたカラービデオカウント量（Ｖ）２００４とあらかじめ設定された閾値（Ｎ）とを比較し、カラービデオカウント量（Ｖ）が閾値（Ｎ）以下の場合は、Ｓ１００５において、出力カウントを白黒設定にする。【選択図】  図７
2005078035.tif 000002
【特許請求の範囲】
【請求項１】
カラー記録材を用いて画像出力を行う画像形成を行う画像形成装置における、出力カウント方法において、
前記カラー記録材の画像データ量をカウントする画像データ量カウントステップと、
画像データに関する属性を保持する画像属性保持ステップと、
出力された画像の属性に関する値をカウントする出力カウントステップと、
前記画像データ量カウントステップによってカウントされた値と所定値とを比較する比較ステップと、
該比較ステップの比較結果と、前記画像属性保持ステップによって保持された属性とに基づきエラー処理を行う処理ステップとを
備えたことを特徴とする出力カウント方法。
【請求項２】
前記比較ステップの比較結果と、前記画像属性保持ステップによって保持された属性とに基づいて、前記出力カウントステップでカウントされる値を補正する補正ステップをさらに備えたことを特徴とする請求項１記載の出力カウント方法。
【請求項３】
前記処理ステップは、エラーの発行、または、画像形成装置の停止を行うことを特徴とする請求項１記載の出力カウント方法。
【請求項４】
前記エラーの発行は、擬似的エラーであることを特徴とする請求項３記載の出力カウント方法。
【請求項５】
前記画像属性は、課金属性であることを特徴とする請求項１乃至４記載の出力カウント方法。
【請求項６】
前記処理ステップの結果に応じた履歴を記録する記録ステップをさらに備えたことを特徴とする請求項１乃至５記載の出力カウント方法。
【請求項７】
カラー記録材を用いて画像出力を行う画像形成を行う画像形成装置において、
前記カラー記録材の画像データ量をカウントする画像データ量カウント手段と、
画像データに関する属性を保持する画像属性保持手段と、
出力された画像の属性に関する値をカウントする出力カウント手段と、
前記画像データ量カウント手段によってカウントされた値と所定値とを比較する比較手段と、
該比較手段の比較結果と、前記画像属性保持手段によって保持された属性とに基づきエラー処理を行う処理手段とを
備えたことを特徴とする画像形成装置。
【請求項８】
前記比較手段の比較結果と、前記画像属性保持手段によって保持された属性とに基づいて、前記出力カウント手段でカウントされる値を補正する補正手段をさらに備えたことを特徴とする請求項７記載の画像形成装置。
【請求項９】
前記処理手段は、エラーの発行、または、画像形成装置の停止を行うことを特徴とする請求項７記載の画像形成装置。
【請求項１０】
前記エラーの発行は、擬似的エラーであることを特徴とする請求項９記載の画像形成装置。
【請求項１１】
前記画像属性は、課金属性であることを特徴とする請求項７乃至１０記載の画像形成装置。
【請求項１２】
前記処理手段の結果に応じた履歴を記録する記録手段をさらに備えたことを特徴とする請求項７乃至１１記載の画像形成装置。
【請求項１３】
カラー記録材を用いて画像出力を行う画像形成を行う画像形成装置における、出力カウント処理を情報処理装置に実行させるプログラムを記憶したコンピュータ読み取り可能な記録媒体であって、
前記処理は、
前記カラー記録材の画像データ量をカウントする画像データ量カウントステップと、
画像データに関する属性を保持する画像属性保持ステップと、
出力された画像の属性に関する値をカウントする出力カウントステップと、
前記画像データ量カウントステップによってカウントされた値と所定値とを比較する比較ステップと、
該比較ステップの比較結果と、前記画像属性保持ステップによって保持された属性とに基づきエラー処理を行う処理ステップと
を有したことを特徴とするコンピュータ読み取り可能な記録媒体。
【請求項１４】
カラー記録材を用いて画像出力を行う画像形成を行う画像形成装置における、出力カウント処理を情報処理装置に実行させるプログラムであって、
前記処理は、
前記カラー記録材の画像データ量をカウントする画像データ量カウントステップと、
画像データに関する属性を保持する画像属性保持ステップと、
出力された画像の属性に関する値をカウントする出力カウントステップと、
前記画像データ量カウントステップによってカウントされた値と所定値とを比較する比較ステップと、
該比較ステップの比較結果と、前記画像属性保持ステップによって保持された属性とに基づきエラー処理を行う処理ステップと
を有したことを特徴とするプログラム。
【発明の詳細な説明】
【技術分野】
【０００１】
本発明は、画像形成装置に関し、より詳細には、複写機やプリンタ、デジタル複合機における、画像形成毎に白黒出力カウントかカラー出力カウントかを決定する画像形成装置に関する。
【背景技術】
【０００２】
従来、画像形成装置では、白黒およびカラー画像形成毎の出力カウントを基に出力枚数を算出し、出力を管理してきた。この出力カウントは、ユーザまたはグループ毎の出力制限、ランニングコストの把握、メンテナンス料金の算出等の情報提供や課金管理、機器制御手段として幅広く活用されていた。
【０００３】
また、特許文献１では、カラー出力が可能な画像形成装置において、両面画像形成の場合、記録媒体の一方の面の画像形成時と、他方の面の画像形成時においてそれぞれ記録色の指定ができ、白黒出力とランニングコストが高いカラー出力とを分けてカウントすることにより、詳細な情報提供および機器制御が可能となった。
【０００４】
一方、出力カウント時に行われるカラー出力カウントか白黒出力カウントかの判断は、ホストコンピュータ等によってユーザが明示した場合は、その判断に従い、カラー出力カウントか白黒出力カウントかを自動で判別する場合は、外部コントローラ等でページ毎にその判別を行っていた。
【０００５】
また、近年の複雑な画像形成装置では、外部コントローラと呼ばれる装置と連動し、負荷分散や機能アップを実現している。画像形成装置と外部コントローラ間にはＩ／Ｆが定義され、それに基き協調することでジョブの実行を行っている。Ｉ/Ｆの定義としては、画像形成装置と外部コントローラとの間の情報のやり取りのフォーマット或いはプロトコルや、前記フォーマットやプロトコルを用いてやり取りされる情報内容の取り決めなどがあげられる。例えば、外部コントローラでラスタ画像への展開や記録媒体のハンドリングを制御する構成において、外部コントローラが、画像形成毎の出力カウントを行っている場合がある。
【０００６】
【特許文献１】特開平７−２２１９３８号公報
【発明の開示】
【発明が解決しようとする課題】
【０００７】
しかしながら、外部コントローラで出力カウントの指示を行う場合、Ｉ／Ｆを解析され不正処理を行われることにより、不正な出力カウント指示を成される可能性がある。背景技術で述べたように、出力カウントは課金属性と絡むケースがあり、不正な出力カウントは、メンテナンス料金の算出等に悪影響を及ぼす。また、外部コントローラにおいてバグが生じると、ユーザが意図していない課金属性の出力カウントが指示される場合がある。従って、外部コントローラ上で、バグが発生した場合、または不正にプログラムを改ざんされた場合においても、正確で公正な出力カウントを提供する画像形成装置が望まれている。
【０００８】
また、画像形成の結果、会社のロゴマークのようにページ内のほんの一部にのみカラー画像があった場合であっても、ページ全体に記録材が載る様なカラー写真出力であっても、双方とも画像形成に用いた記録材の消費量に関係なく同じカラー出力カウントが指示される。そのため、ユーザにとっては、不公平感があった。
【０００９】
本発明は、このような問題に鑑みてなされたもので、その目的とするところは、外部コントローラの出力カウント指示に依らない正確で公正な出力カウントを可能とする画像形成装置を提供することにある。
【課題を解決するための手段】
【００１０】
このような課題を解決するために本発明では、カラー記録材を用いて画像出力を行う画像形成を行う画像形成装置における、出力カウント方法において、前記カラー記録材の画像データ量をカウントする画像データ量カウントステップと、画像データに関する属性を保持する画像属性保持ステップと、出力された画像の属性に関する値をカウントする出力カウントステップと、前記画像データ量カウントステップによってカウントされた値と所定値とを比較する比較ステップと、該比較ステップの比較結果と、前記画像属性保持ステップによって保持された属性とに基づきエラー処理を行う処理ステップとを備えたことを特徴とする。
【００１１】
さらに本発明では、カラー記録材を用いて画像出力を行う画像形成を行う画像形成装置において、前記カラー記録材の画像データ量をカウントする画像データ量カウント手段と、画像データに関する属性を保持する画像属性保持手段と、出力された画像の属性に関する値をカウントする出力カウント手段と、前記画像データ量カウント手段によってカウントされた値と所定値とを比較する比較手段と、該比較手段の比較結果と、前記画像属性保持手段によって保持された属性とに基づきエラー処理を行う処理手段とを備えたことを特徴とする。
【発明の効果】
【００１２】
以上説明したように、本発明によれば、画像データを基に作成された画像データ量カウントと所定値とを比較し、その比較結果と課金属性とを比較した結果から出力カウントを決定することで、例えば、外部コントローラのプログラム改ざん等の不正処理があった場合、エラー表示してジョブ処理を中止するなどを行うことにより、出力画像の記録材使用量に反映した正確な出力カウントが実現できる。
【発明を実施するための最良の形態】
【００１３】
以下、図面を参照しながら本発明の実施形態を詳細に説明する。
【００１４】
（第１の実施形態）
図１は、本発明に係る画像形成システムを示す構成図である。  
図１において、画像形成システム１０は、パーソナルコンピュータ１１、ワークステーション１２、ノートパソコン１３、大容量ストレージを有するサーバコンピュータ１４、画像入力装置であるスキャナ３００およびスキャナ３００ａ、画像出力装置であるプリンタ１００およびプリンタ１００ａ、スキャナ３００とプリンタ１００とを制御するマルチファンクションコントローラ２００、マルチファンクションコントローラ２００を機能拡張する外部コントローラ２０、スキャナ３００ａとプリンタ１００ａとを制御するコントローラ２００ａを有し、これら全ては、例えばイーサネット（登録商標）などのＬＡＮ１５を介して相互に接続されている。本実施形態における画像形成装置とは、スキャナ３００、マルチファンクションコントローラ２００、プリンタ１００を個々に或いはまとめたものを指すものとする。また、スキャナ３００a、コントローラ２００a、プリンタ１００aについて個々に或いはまとめて画像形成装置とする。画像形成システム１０において、スキャナ３００とプリンタ１００とのそれぞれは、マルチファンクションコントローラ２００に対して（不図示の）専用バスを介して接続されている。また、図示していないＬＡＮ１５に接続されたＰＤＬ部を、マルチファンクションコントローラ２００に対して（不図示の）専用バスを介して接続することができる。
【００１５】
パーソナルコンピュータ１１、ワークステーション１２、ノートパソコン１３、大容量ストレージを有するサーバコンピュータ１４は、画像の入出力命令を受けると、外部コントローラ２０またはコントローラ２００ａとＬＡＮ１５を介して通信し、プリンタ１００およびプリンタ１００ａやスキャナ３００およびスキャナ３００ａによってネットワークプリントやネットワークスキャンを行うことができる。
【００１６】
図２は、本実施形態に係る画像入力部であるスキャナを示す概観図である。  
図２において、画像入力デバイスであるスキャナ３００は、（不図示の）ＬＥＤ等の光源によって原稿となる記録媒体上の画像を照射して、反射光（印刷物等の場合）または透過光（カラースライド等の場合）を（不図示の）ＣＣＤラインセンサを走査することによってアナログ値として出力し、そのアナログ値をラスタ画像データとしてデジタル信号（以降、スキャン画像データと呼ぶ）に変換する。原稿となる記録媒体は、原稿フィーダ３０１上のトレイ３０２にセットされる。ユーザが後述する操作部４００から読み取り動作指示を行うと、マルチファンクションコントローラ２００は、スキャナ３００に動作指示を与え、フィーダ３０１は、原稿となる記録媒体を一枚ずつフィードして、原稿画像の読み取りが行われる。
【００１７】
スキャナ３００ａについての構成は、スキャナ３００の構成と同様であり、スキャナ３００ａの動作についても、コントローラ２００ａを用いることにより、上述したスキャナ３００と同様に行うことができる。
【００１８】
図３は、本実施形態に係る画像出力部であるプリンタを示す概観図である。  
以下で、図３における４つのドラムが直列に配置されているレーザカラープリンタであるプリンタ１００の構成を説明すると共に、その画像形成の動作を説明する。
【００１９】
図３において、プリンタ制御ユニット１０１は、プリンタ１００内に設置されている。プリンタ制御ユニット１０１は、第１ＣＰＵと、第１ＣＰＵの制御手段である種々のプログラムを格納する記憶装置とを有し、第１ＣＰＵが記憶装置に格納されたプログラムを実行することによって、画像形成動作制御を行う。プリンタ１００は、Ｍ（マゼンタ）、Ｃ（シアン）、Ｙ（イエロー）、Ｋ（ブラック）毎のビデオ信号をマルチファンクションコントローラ２００から受けて各色成分画像を画像形成・現像するための、ＭＣＹＫそれぞれに対する画像形成・現像機構を有する。プリンタ制御ユニット１０１は、マルチファンクションコントローラ２００から受信したＭＣＹＫ各色のビデオ信号を、それぞれ、ＭＣＹＫ各色のレーザドライバへ出力する。
【００２０】
初めに、マゼンタ用の画像形成・現像機構について説明する。  
感光導電性材料よりなる感光ドラム１１４は、プリンタ１００によって回転自在に支持されている。感光ドラム１１４を、図示していない駆動モータにより所定の方向に所定のスピードで回転し、感光ドラム１１４の表面を、帯電バイアスが印加された帯電ローラ（不図示）により一様に負極性の所定電位に帯電する。入力されるマゼンタのビデオ信号に応じて、半導体レーザ素子１１１を駆動するための回路であるマゼンタ用のレーザドライバ１１０により半導体レーザ素子１１１から出力されるレーザ光１１２をオン・オフする。レーザ光１１２を、回転多面鏡によって左右方向に振り感光ドラム１１４上を走査することで、感光ドラム１１４上に、受信したビデオ信号に応じた文字や図形パターンの静電潜像を形成する。マゼンタ用の現像ユニット（トナーカートリッジ）１１５により負極性に帯電したマゼンタトナーを、図示していない現像ローラによって感光ドラム１１４上に付着させて、トナー像を感光ドラム１１４上に形成する。形成されたトナー像を、記録媒体に転写する。
【００２１】
シアン、イエローおよびブラックの画像形成は、上述したマゼンタの画像形成と同様であるので、詳細な説明は省略し、以下で構成要素のみを記載する。
【００２２】
受信したビデオ信号に応じたシアンの画像形成を、シアン用のレーザドライバ１２０、半導体レーザ素子１２１、レーザ光１２２、回転多面鏡１２３、感光ドラム１２４、シアン用の現像ユニット１２５によって行う。
【００２３】
また、受信したビデオ信号に応じたイエローの画像形成を、イエロー用のレーザドライバ１３０、半導体レーザ素子１３１、レーザ光１３２、回転多面鏡１３３、感光ドラム１３４、イエロー用の現像ユニット１３５によって行う。
【００２４】
さらに、受信したビデオ信号に応じたブラックの画像形成を、半導体レーザ素子１４１、レーザ光１４２、回転多面鏡１４３、感光ドラム１４４、ブラック用の現像ユニット１４５によって行う。
【００２５】
給紙カセット１０２は、プリンタ１００の下部に配設され、記録媒体を収納している。また、給紙カセット１０２に収納された複数の記録媒体の上面は、バネ１０３により一定の高さに保たれている。記録媒体を、給紙ローラ１０４、搬送ローラ１０５および１０６によって画像形成部に取り込み、搬送ベルト１０７によってＭＣＹＫの各画像形成および現像機構を通過させることで、搬送された記録媒体上に、ＭＣＹＫの各トナー像を多重転写する。記録媒体上に多重転写されたトナー像を、定着器１０８の熱と圧力によって記録媒体に定着する。定着後、記録媒体を、搬送ローラ１０９および１５０によってプリンタ１００から排紙する。
【００２６】
以上は、プリンタ１００によってカラー画像を形成する場合の画像形成プロセス（以降、カラーシーケンスと呼ぶ）の一例である。白黒画像を画像形成する場合は、マゼンタ、シアンおよびイエローの画像形成を行う必要が無いためブラックの画像形成のみを行う画像形成プロセス（以降、白黒シーケンスと呼ぶ）を行う。
【００２７】
本実施形態においては、トナーの色成分として、マゼンタ、シアン、イエロー、ブラックの４色を用いたが、５色以上のトナーを用いても良く、その場合は、用いるトナーの色毎に画像形成部を有することになる。例えば、図８は、６色のトナー（マゼンタ、シアン、イエロー、ブラック、ハイライトマゼンタ、ハイライトシアン）を用いるプリンタの一例である。
【００２８】
図８において、Ｓａは、マゼンタについての画像形成部であり、感光ドラム１ａとマゼンタのトナーを装填した現像ユニット４１とを用いて、上述の方法でマゼンタの画像形成を行う。ハイライトマゼンタ、シアン、ハイライトシアン、イエロー、ブラックについても、それぞれ各色に対応する画像形成部Ｓｂ−Ｓｆにおいて、各色に対応する感光ドラム１ｂ−１ｆと各色を装填した対応する現像ユニット４２−４６とを用いて、マゼンタと同様に画像形成を行う。また、各色の多重転写は、中間転写ベルト５の搬送路に沿って行われる。
【００２９】
上述のように、６色トナーを用いるプリンタとして、マゼンタ、シアン、イエロー、ブラックの他に、濃淡トナーであるハイライトマゼンタ、ハイライトシアンを用いたが、マゼンタ、シアン、イエロー、ブラックの他に用いる２色のトナーとしては、これに限定されることなく、例えば、肌色トナー、レッドトナーのように、特定の色相トナーを用いても良い。
【００３０】
本実施形態では、感光体ドラムを用いた電子写真方式のプリンタに関して説明したが、画像形成装置の記録方式は、感光体ベルトを用いた電子写真方式、微小ノズルアレイからインクを吐出して記録媒体上に直接画像を形成するインクジェット方式等があるが、どの方式を用いても構わない。
【００３１】
図４は、本実施形態に係るデジタル複合機の制御システムの構成を示すブロック図である。  
マルチファンクションコントローラ２００は、画像入力装置であるスキャナ３００および画像出力装置であるプリンタと専用バスを介して接続されており、画像、画像情報およびデバイス情報の入出力を行うためのシステム制御を行う。また、マルチファンクションコントローラ２００は、製品モデルによっては、ＬＡＮ１５に直接接続され、または後述する外部コントローラ２０を介してＬＡＮと接続される。
【００３２】
外部コントローラ２０は、パーソナルコンピュータ１１、ワークステーション１２、ノートパソコン１３、および大容量ストレージを有するサーバコンピュータ１４と、プリンタ１００との間における画像情報およびデバイス情報のやり取りを行うインターフェイス部であり、後述のＰＤＬ部３０を有する場合は、文書、図形および写真等から成る画像データをラスタ画像データに変換する役割も有する。
【００３３】
ＰＤＬ部３０は、パーソナルコンピュータ１１、ワークステーション１２、ノートパソコン１３、大容量ストレージを有するサーバコンピュータ１４上で作成される、文書、図形および写真等から成る画像データをＬＡＮ１５を介して受信し、それら画像データをラスタ画像データに変換する。また、ＰＤＬ部３０は、外部コントローラ２０またはマルチファンクションコントローラ２００に含まれていても良い。
【００３４】
出力カウンタ２１７は、プリンタ１００からマルチファンクションコントローラ２００へ送信される画像形成の成功信号毎にカウント処理を行う。プリンタ１００からの画像形成が白黒出力の場合、白黒の出力カウントをカウントアップし、プリンタ１００からの画像形成がカラー出力の場合、カラーの出力カウントをカウントアップする。出力カウンタ２１７の出力カウント結果は、ユーザが支払うデジタル複合機のメンテナンス費用を算出するための元データとなり、この元データに白黒およびカラーに対する所定の単価をそれぞれかけて、メンテナンス費用を算出する。
【００３５】
図５は、本実施形態に係るプリンタ１００、マルチファンクションコントローラ２００、およびスキャナ３００の状態を表示し操作指示を行う操作部を示す模式図である。
【００３６】
図５において、液晶操作パネル４０１は、液晶を用いたディスプレイ部とタッチパネルとを組み合わせたものであり、設定内容の表示、ソフトキーの表示等がなされる。スタートキー４０２は、コピー動作等を開始指示するためのハードキーであり、内部に緑色および赤色のＬＥＤが組み込まれており、スタート可能の場合は緑色の、スタート不可の場合は赤色のＬＥＤが点灯される。ストップキー４０３は、画像形成動作等を停止させるときに使用するハードキーである。ハードキー群４０４には、テンキー、クリアキー、リセットキー、ガイドキー、ユーザモードキーが設けられている。カウンタ表示キー４０５は、押下されると、液晶操作パネル４０１にカラーと白黒とのスキャン枚数やプリント枚数を表示する。
【００３７】
本実施形態に係るマルチファンクションコントローラ２００は、図示していない第２ＣＰＵを有し、第２ＣＰＵは、ハードディスク（ＨＤＤ）２１１、または図示していないメモリに格納された図７に示す如きプログラムを含む種々のプログラムに従ってマルチファンクションコントローラ２００内の各構成要素を総括的に制御する。
【００３８】
入力画像処理部２１０は、スキャナ３００からのスキャン画像データ、ＰＤＬ部３０からのラスタ画像データ、外部コントローラ２０からの各種画像情報を受信し、必要に応じて解像度変換や回転、像域分離やフィルタリング処理などを行い、それら画像を画像メモリ２１２に格納する。画像メモリ２１２は、ハードディスク（ＨＤＤ）２１１に接続されており、ＨＤＤ２１１とともに画像データの一時的な格納場所として利用される。
【００３９】
出力画像処理２１４部は、プリンタ１００で画像を出力するための処理を行う。画像メモリ２１２に格納された画像が、スキャン画像データのようにＲＧＢデータである場合は、出力画像処理２１４は、ＲＧＢデータをＣＭＹＫ変換する。さらに、出力画像処理部２１４は、操作部４００からの設定に応じて濃度補正を行い、また、プリンタ１００の給紙カセット１０２に収納された画像形成される記録媒体に応じて画像回転を行い、プリンタの出力特性に合わせた色変換処理を行う。出力画像処理部２１４からビデオカウンタ部２１５とプリンタ１００とに向けて、ＣＭＹＫ各色のビデオ信号を送信する。
【００４０】
ビデオカウンタ部２１５は、出力画像処理部２１４から受信されたＣＭＹＫ各色のビデオ信号をそれぞれの色毎にカウントし、それらの合計から後述する画像データ量カウント（以降、カラービデオカウント量（Ｖ）と呼ぶ）を算出し、カウンタ補正処理２１６へ通知する。また、プリンタ１００の図示していない記録装置に格納された記録材消費量テーブルに従い、ＭＣＹＫ各色毎のビデオカウントに対して補正をかけて記録材消費量を計算し、プリンタ１００へ計算された記録材消費量を通知する。ビデオカウンタ２１５が、画像形成する記録媒体毎の各色別のトナーやインクなどの記録材消費量をプリンタ１００へ通知することにより、プリンタ１００は、通知された記録材消費量から画像形成時に消費する記録材の量を計算し記録材の補給を行う。これらの処理により、プリンタ１００内に記録材の量を検知するためのセンサーを配設する必要が無くなり、コストダウンが可能となる。
【００４１】
ページ属性部２１３部は、入力画像処理２１０へ入力されるスキャナ３００からのスキャン画像データ、ＰＤＬ３０からのラスタ画像データ、外部コントローラ２０からの各種画像情報と連動して、スキャナ３００、ＰＤＬ３０、外部コントローラ２０から該当ページの画像データに応じた属性の入力を受ける。これらの属性には画像サイズ、画像がカラーか白黒かの色属性、画像形成プロセスが白黒シーケンスかカラーシーケンスかのシーケンス属性、課金属性、解像度などが含まれる。これらの属性は、出力画像処理部２１４のビデオ信号と連動してプリンタ１００へ通知され、プリンタ１００は、画像形成を行う。また、カウンタ補正処理２１６にもそれら属性を通知する。この属性に基づくカウントアップを行う出力カウンタが実際の課金手段として機能することとなる。
【００４２】
カウンタ補正処理部２１６は、ページ属性部２１３から受信された色属性、シーケンス属性および課金属性、ならびにビデオカウンタ部２１５から受信されたカラービデオカウント量（Ｖ）に基づき出力カウントの補正を行い、プリンタ１００に対して補正された出力カウントの種類（以降、出力カウントと呼ぶ）を通知する。カウンタ補正処理部２１６は、プリンタ１００から画像形成の成功信号が送られてくると、出力カウンタ２１７に対してカウントすべきカウントの種類と出力カウント量とを通知する。上述のようにプリンタ１００からマルチファンクションコントローラ２００に送られてくる画像形成の成功信号毎に出力カウンタ２１７へ指示を行うことで、実際のカウント処理が行われる。ここで、画像形成の成功信号は、画像形成が成された記録媒体がプリンタ１００から排紙されると、プリンタ１００からマルチファンクションコントローラ２００へと送信される信号であり、プリンタ１００内の定着器１０８の下流側にセンサを配設し、記録媒体がそのセンサを通過したときに送信される信号であっても良い。
【００４３】
スキャナ３００、ＰＤＬ３０、外部コントローラ２０からの入力は、ジョブとしてマルチファンクションコントローラ２００で処理され、必要に応じてプリンタ１００を使用して処理されたジョブの画像形成を行う。
【００４４】
図６は、本実施形態に係る色属性、シーケンス属性および課金属性とカラービデオカウント量と出力カウントとの関係を示す図である。
【００４５】
本実施形態において、色属性２００１、シーケンス属性２００２、課金属性２００３は、パーソナルコンピュータ１１、ワークステーション１２、ノートパソコン１３、大容量ストレージを有するサーバコンピュータ１４から受信される画像データ、またはスキャナ３００より受信されるスキャン画像データに基づいて外部コントローラ２０によって設定される。
【００４６】
図６において、色属性２００１は、プリンタ１００で画像形成される画像データが、白黒なのかカラーなのかを示す属性である。
【００４７】
シーケンス属性２００２は、ページ毎に設定される該当ページを画像形成する際にカラーシーケンスで処理するか白黒シーケンスで処理するかの属性である。通常は、色属性２００１とシーケンス属性２００２とは一致するが、例えば、プリンタがマゼンタ、シアン、イエローの三色トナーで画像形成する場合等のプリンタに関する機能上の制約により白黒画像をカラー画像処理して画像形成する場合や、プリンタ１００のエンジン性能を最大限引き出すため、ダウンタイムが発生するカラーシーケンスと白黒シーケンスの切り替えを行わず、白黒画像もカラー画像も全てカラーシーケンスで画像形成する場合がある。そのため、色属性とシーケンス属性とが一致しない場合がある。これらの指示は、外部コントローラ２０から行われる。なお、色属性２００１がカラーの場合は白黒シーケンスでは画像形成できないため、シーケンス属性２００２は、カラーシーケンスで固定となる。
【００４８】
課金属性２００３は、ページ毎に設定される該当ページの課金情報である。通常は、シーケンス属性２００２と課金属性２００３とは一致するが、上述のようにシーケンス属性２００２がカラーであるにも関わらず、色属性２００１が白黒であった場合は、実際の出力が白黒になるため、カラー課金しないように課金属性２００３は白黒２０２２のように白黒となる。また、外部コントローラ２０のバグや、メンテナンス費用を安くするためにカラー画像を白黒課金指示するよう外部コントローラプログラムを改ざんする不正処理が行われた場合、課金属性２００３と出力された画像の色属性とが一致しないケースがある。
【００４９】
カラービデオカウント量（Ｖ）２００４は、ブラックを除くシアン、マゼンタ、イエローなどのそれぞれの色毎のビデオカウント量の合計である。本実施形態では、ブラック、マゼンタ、シアン、イエローの４色の例で説明しているが、５色以上のシステムでも同様にブラックを除く各色毎のビデオカウント量の合計をカラービデオカウント量として使用することができる。カラービデオカウント量（Ｖ）２００４は、あらかじめ設定されている閾値（N）と比較される。通常閾値（N）は０であるが、カラーシーケンスで画像形成した場合は、電子透かし等の偽造防止記号の埋め込みなどで微量のカラー成分のビデオカウントが発生する場合があるため、機器の構成に合わせコントローラ２００に対して閾値（Ｎ）を０以上の値にあらかじめハードコーディングしてある。この閾値（N）とカラービデオカウント量（V）とを比較することで、実際に画像形成するページはカラー画像なのか白黒画像なのかの判断を行う。
【００５０】
出力カウント２００５は、通常外部コントローラ２０からの指示である課金属性２００３と一致するが、上述のような、外部コントローラ２０のバグや、プログラム改ざんによる不正指示がされた場合に補正が行われる。また、カラー課金処理であっても、カラービデオカウント量（Ｖ）があらかじめ設定されている閾値（Ｎ）以下であった場合は、ユーザには実際の出力は白黒としか見えないため、カラーカウントではなく白黒カウントに補正処理が行われる。図６において、出力カウント２００５の列で網掛け部分のセルは、補正が行われるケースである。２０４３と２０４７とのセルは白黒カウントをカラーカウントに補正するケースであるが、マルチファンクションコントローラ２００の設定によっては、このように白黒カウントをカラーカウントに補正するケースが生じたことを不正使用と見なす。すなわち、カラービデオカウント量（Ｖ）が閾値（Ｎ）よりも大きいにも関わらず、課金属性が白黒である場合、出力カウントをカラーに補正せずに、その画像形成処理をエラーとし、プリンタ１００をすみやかに停止させ、全てのジョブをキャンセルする。そしてエラー表示を操作部４００上に行う。このように、マルチファンクションコントローラ２００を、カラービデオカウント量（Ｖ）と閾値（Ｎ）との比較によりカラー出力と判定したにも関わらず、課金属性が白黒である場合、出力カウントをカラーとするか、またはそのジョブ処理をエラーとするかを設定することができる。
【００５１】
図６において、色属性２００１が白黒２００７であり、シーケンス属性２００２が白黒２０１０である場合、シーケンスが白黒２０１０であるためカラービデオカウント量（Ｖ）と閾値（Ｎ）との比較を行う必要が無く（２０３０）、課金属性２００３が白黒２０２０かカラー２０２１かに関わらず、出力カウントは白黒となる（課金属性が白黒の場合は、白黒出力カウント２０４０、課金属性がカラーの場合は、カラー出力カウント２０４１となる）。
【００５２】
色属性２００１が白黒２００７であり、シーケンス属性２００２がカラー２０１１であり、課金属性２００３が白黒２０２２である場合、カラービデオカウント量（Ｖ）と閾値（Ｎ）とを比較する。このとき、カラービデオカウント量（Ｖ）が閾値（Ｎ）以下の場合（２０３１）、出力カウントを白黒２０４２とし、カラービデオカウント量（Ｖ）が閾値（Ｎ）よりも大きい場合（２０３２）、出力カウントをカラーに補正するかもしくはエラーとする（２０４３）。
【００５３】
色属性２００１が白黒２００７であり、シーケンス属性２００２がカラー２０１１であり、課金属性２００３がカラー２０２３である場合についても、カラービデオカウント量（Ｖ）と閾値（Ｎ）とを比較する。このとき、カラービデオカウント量（Ｖ）が閾値（Ｎ）以下の場合（２０３３）、出力カウントを白黒２０４４と補正し、カラービデオカウント量（Ｖ）が閾値（Ｎ）よりも大きい場合（２０３４）、出力カウントをカラー２０４５とする。
【００５４】
色属性２００１がカラー２００９である場合、シーケンス属性２００２はカラー固定２０１２である。このとき、課金属性２００３が白黒２０２４である場合、カラービデオカウント量（Ｖ）と閾値（Ｎ）とを比較する。カラービデオカウント量（Ｖ）が閾値（Ｎ）以下の場合（２０３５）、出力カウントを白黒２０４６とし、カラービデオカウント量（Ｖ）が閾値（Ｎ）よりも大きい場合（２０３６）、出力カウントをカラーに補正するかもしくはエラー処理を行う（２０４７）。また、課金属性２００３がカラー２０２５である場合においても、カラービデオカウント量（Ｖ）と閾値（Ｎ）とを比較する。カラービデオカウント量（Ｖ）が閾値（Ｎ）以下の場合（２０３７）、出力カウントを白黒２０４８と補正し、カラービデオカウント量（Ｖ）が閾値（Ｎ）よりも大きい場合（２０３８）、出力カウントをカラー２０４９とする。
【００５５】
図７は、本発明に係るカウンタ補正処理を示すフローチャートである。  
本実施形態に係る出力カウントの補正処理を、図６を参照しながら図７において説明する。
【００５６】
図７において、ビデオカウンタ部２１５からカウンタ補正処理部２１６へ該当ページのカラービデオカウント量（Ｖ）が通知されると、カウンタ補正処理を開始する。
【００５７】
Ｓ１００１では、画像形成を行う該当ページの色属性２００１を判断する。色属性２００１が白黒２００７であった場合はＳ１００２に進み、カラー２００９である場合はＳ１００３に進む。
【００５８】
Ｓ１００２では、画像形成を行う該当ページのシーケンス属性２００２を判断する。シーケンス属性２００２が白黒２０１０である場合はＳ１００５に進み、カラー２０１１である場合はＳ１００３に進む。
【００５９】
Ｓ１００３では、画像形成を行う該当ページの課金属性２００３を判断する。課金属性２００３が白黒２０２０もしくは白黒２０２４である場合はＳ１００４に進み、カラー２０２３、またはカラー２０２５である場合はＳ１００６に進む。
【００６０】
Ｓ１００４ではカラービデオカウント量（Ｖ）２００４と閾値（Ｎ）とを比較する。Ｎ＜Ｖである場合は、課金属性２００３が白黒にも関わらず所定値以上のカラー成分のビデオカウントを検出したためＳ１００７に進む。Ｎ≧Ｖである場合はＳ１００５に進む。このようなＳ１００４の判定処理により実際の色属性がカラーにも関わらず、不正処理を行われることにより課金属性２００３を白黒と宣言し、出力カウント２００５を白黒に設定することを防止することができる。
【００６１】
Ｓ１００４において、出力する画像のカラー成分毎のビデオカウントの合計であるカラービデオカウント量（Ｖ）と閾値（Ｎ）とを比較したが、それに限定されず、各カラー成分毎に閾値と比較しても良い。
【００６２】
Ｓ１００５では、出力カウント２００５を白黒に設定し、カウンタ補正処理を終了する。出力カウンタ２１７でのカウントアップは、プリンタ１００からマルチファンクションコントローラ２００へ送られてくる画像形成の成功信号に同期して行われる。
【００６３】
Ｓ１００６では、カラービデオカウント量（Ｖ）２００４と閾値（Ｎ）とを比較する。Ｎ＜Ｖである場合は、Ｓ１００８に進む。Ｎ≧Ｖである場合は、課金属性２０３はカラーではあるが、検出したカラービデオ成分量が微量であったためユーザからは白黒画像としか見えないと判断しＳ１００５に進む。なお、Ｓ１００６の処理を省略して、Ｓ１００３において課金属性がカラーと判断された場合に、ステップをＳ１００８に移行するようにしても良い。このようにすることにより、ビデオカウント量（Ｖ）と閾値（Ｎ）との比較処理を、不正な課金属性が宣言された可能性がある場合に合わせて効率よく実行することができ、装置全体の処理負荷を軽減することができる。
【００６４】
また、Ｓ１００６においても、出力する画像のカラー成分毎のビデオカウントの合計であるカラービデオカウント量（Ｖ）と閾値（Ｎ）とを比較したが、それに限定されず、各カラー成分毎に閾値と比較しても良い。
【００６５】
Ｓ１００７では、マルチファンクションコントローラ２００の設定が、出力カウントを白黒からカラーへ補正するケースでプリンタ１００をエラー停止する場合は、Ｓ１００９に進み、そうでない場合はＳ１００８に進む。なお、ステップＳ１００９におけるエラー処理としてはプリンタ１００（画像形成装置）のエラー停止に限定されるものではなく、例えば、不正出力カウンタが行われた旨のエラー表示などでも良い。このようにＳ１００７の処理により、本来カラー出力で出力カウントが行われるべきであるにも関わらず、不正処理を行われることにより課金属性２００３を白黒と宣言し、出力カウント２００５を白黒に設定することを防止または抑制することができる。
【００６６】
Ｓ１００８では、出力カウント２００５をカラーに設定し、カウンタ補正処理を終了する。出力カウンタ２１７でのカウントアップは、プリンタ１００からマルチファンクションコントローラ２００へ送られてくる画像形成の成功信号に同期して行われる。
【００６７】
Ｓ１００９では、プリンタ１００を速やかに停止させ、全てのジョブをキャンセルし、操作部４００上にエラー表示を行い、マルチファンクションコントローラ２００に入力されるジョブを受け付けなくする。このＳ１００９では、エラーコードは、履歴としてプリンタの図示していない所定の記憶装置に記録される。また、エラーの種類を、例えばジャムでプリンタの画像形成動作を停止させたとして、ジャム履歴を記録するようにしても良い。この記録された履歴は表示部に表示させたりパーソナルコンピュータ等の外部機器の記録手段に取り込み表示させたりする形態が望ましい。このようにＳ１００９の処理において、擬似的に所定のエラーを発生させ、その発生された擬似的エラーを履歴として記録手段に保持できるので、わざわざ不正出力カウント処理のためのエラー履歴項目を作成しなくとも、予め用意されたエラー項目を用いて不正出力カウント処理の履歴をコスト安で実現することができる。また、Ｓ１００８でも出力カウント設定をカラー設定に変更した旨をＳ１００９と同様に履歴を記録するようにしても良い。尚、Ｓ１００９やＳ１００８の履歴の記録を各々の専用項目を作成して履歴として記録するようにしても良い。
【００６８】
本実施形態において、外部コントローラ２０が接続されたプリンタ１００、マルチファンクションコントローラ２００およびスキャナ３００からなるデジタル複合機についての出力カウント補正を説明したが、コントローラ２００ａのように外部コントローラ２０の機能を有する場合は、プリンタ１００ａ、コントローラ２００ａおよびスキャナ３００ａからなるデジタル複合機についても、本実施形態と同様に出力カウントの補正を行うことができる。
【００６９】
以上説明した本発明の実施形態によれば、画像データを基に作成されたカラービデオカウント量（Ｖ）とあらかじめ設定された閾値（Ｎ）とを比較することにより出力カウントが白黒であるか、カラーであるかを判断するので、外部コントローラ２０上でバグが発生した場合や、外部コントローラ２０のプログラム改ざん等の不正処理があった場合でも、正確な出力カウントが実現できる。
【００７０】
（第２の実施形態）
これまでの画像形成装置は、カラー画像、白黒画像に関係なく、記録媒体の全面ベタ画像と記録媒体中の一部のみ画像形成された画像とについて同じ出力カウントを行っている。そのため記録材消費量の少ない軽い画像を出力しても、記録材消費量の多い重い画像を出力しても、出力カウント自体への影響はなく、同じ出力カウントとして処理されている。
【００７１】
第２の実施形態では、プリンタ１００で画像形成する画像データのカラービデオカウント量に応じて出力カウント量を決定する。
【００７２】
図９は、プリンタ１００で画像形成する画像データのカラービデオカウント量と出力カウント量との関係を示す図である。
【００７３】
本実施形態において、出力カウント量は、メンテナンス費用の元となるデータであり、プリンタ１００における各色トナーの消費量と連動して決定される。
【００７４】
本実施形態において、カウンタ補正部２１６は、カウンタ補正を行う際に、第１の実施形態で説明したように画像出力がカラーか白黒かを決定した後に、ビデオカウンタ部２１５からのカラービデオカウント量に応じて、出力カウント量を決定する。また、カウンタ補正部２１６は、プリンタ１００から画像形成の成功信号を受信すると、決定された出力カウント量を出力カウンタ２１７へ通知する。
【００７５】
図９において、Ｙ軸は出力カウント量３００１、Ｘ軸は記録材消費量を予測するためのカラービデオカウント量３００２である。
【００７６】
カラービデオカウント量がａ'より小さい場合、プリンタ１００で画像形成された画像は白紙画像として、出力カウント量を０とする。このとき、カウンタ補正処理部２１６が、出力カウンタ２１７へ出力カウントを通知しないことで、出力カウントは行われない。
【００７７】
カラービデオカウント量がａ'以上ａ未満の場合、出力カウント量を１とし、カウンタ補正処理部２１６は、出力カウンタ２１７へ出力カウント量１を通知し、それを受けた出力カウンタ２１７はカウント量１をカウントアップする。
【００７８】
カラービデオカウント量がａ以上２ａ未満の場合、出力カウント量をダブルカウントし２とする。カウンタ補正処理部２１６は、出力カウンタ２１７へ出力カウント量２を通知し、それを受けた出力カウンタ２１７はカウント量２をカウントアップする。
【００７９】
カラービデオカウント量が３ａ以上の場合、出力カウント量をトリプルカウントし３とする。カウンタ補正処理部２１６は、出力カウンタ２１７へ出力カウント量３を通知し、それを受けた出力カウンタ２１７はカウント量３をカウントアップする。  
上述の処理は、白黒カウントおよびカラーカウント双方に適用できる。
【００８０】
本実施形態において、出力カウント量を三段階に分けたが、これに限定されず、適宜、出力カウント量の段階数を変えることができる。また、各段階の範囲についても、図９中のａに限定されず、適宜、変えることができる。
【００８１】
本実施形態によれば、カラーカウント、または白黒カウントを行う際の出力カウント量は、カラービデオカウント量を用いることにより数段階に分けて決定されるため、実際の画像出力に使用される記録材量に反映し、公正な出力カウントを実現することができる。
【図面の簡単な説明】
【００８２】
【図１】本発明に係る画像形成システムを示す構成図である。
【図２】本実施形態に係る画像入力部であるスキャナを示す概観図である。
【図３】本実施形態に係る画像出力部であるプリンタを示す概観図である。
【図４】本実施形態に係るデジタル複合機の制御システムの構成を示すブロック図である。
【図５】本実施形態に係る操作部を示す模式図である。
【図６】本実施形態に係る色属性、シーケンス属性および課金属性とカラービデオカウント量と出力カウントとの関係を示す図である。
【図７】本発明に係るカウンタ補正処理を示すフローチャートである。
【図８】本発明の一実施形態に係るプリンタを示す概観図である。
【図９】本発明に係る画像形成する画像データのカラービデオカウント量と出力カウント量との関係を示す図である。
【符号の説明】
【００８３】
１１  パーソナルコンピュータ
１２  ワークステーション
１３  ノートパソコン
１４  サーバ
１５  イーサネット（登録商標）
２０  外部コントローラ
３０ＰＤＬ部
１００、１００ａ  プリンタ
２００  マルチファンクションコントローラ
２００ａ  コントローラ
２１０  入力画像処理部
２１１  ＨＤＤ
２１２  画像メモリ
２１３  ページ属性部
２１４  出力画像処理部
２１５  ビデオカウンタ部
２１６  カウンタ補正処理部
２１７  出力カウンタ
３００、３００ａ  スキャナ
４００  操作部
３００１  出力カウント量
３００２  カラービデオカウント量
【図１】
2005078035.tif 000003
【図２】
2005078035.tif 000004
【図３】
2005078035.tif 000005
【図４】
2005078035.tif 000006
【図５】
2005078035.tif 000007
【図６】
2005078035.tif 000008
【図７】
2005078035.tif 000009
【図８】
2005078035.tif 000010
【図９】
2005078035.tif 000011